(57)【要約】【課題】ネットワークの輻輳状態が発生した場合においても、その輻輳状態を回避し、通信可能とすることを目的とする。【解決手段】携帯電話１が直接通信可能な通信範囲内の中継アンテナ２が輻輳状態である場合、携帯電話１は通信範囲にある他の携帯端末１を介して、通信範囲外にある輻輳状態でない中継アンテナ２へ接続する中継ネットワークを構築する。そして、携帯電話１は、構築した中継ネットワークを介して、相手先端末と通信する。【選択図】図２
2012074964.tif 000002
【特許請求の範囲】
【請求項１】
複数の中継アンテナと、複数の携帯端末とを備える通信システムであり、
前記複数の携帯端末のうちの第１携帯端末は、
直接通信可能な範囲である第１通信範囲内の第１中継アンテナを検索する第１アンテナ検索部と、
前記第１通信範囲内の第１中継アンテナを前記第１アンテナ検索部が発見できなかった場合、自己を特定する第１特定情報を前記第１通信範囲内へ発信する第１特定情報発信部と
を備え、
前記第１特定情報発信部が発信した第１特定情報を受信した携帯端末である第２携帯端末は、
直接通信可能な範囲である第２通信範囲内の第２中継アンテナを検索する第２アンテナ検索部と、
前記第２通信範囲内の第２中継アンテナを前記第２アンテナ検索部が発見した場合、前記第１特定情報から特定される第１携帯端末へ、自己を特定する第２特定情報を送信する第２特定情報送信部と
を備え、
前記第１携帯端末は、さらに、
前記第２特定情報送信部が送信した第２特定情報を受信すると、受信した前記第２特定情報から特定される前記第２携帯端末へ通信の相手先端末を宛先とした通信データを送信する第１データ送信部
を備え、
前記第２携帯端末は、さらに、
前記第１データ送信部が送信した通信データを、前記第２中継アンテナを介して前記相手先端末へ送信する第２データ送信部
を備えることを特徴とする通信システム。
【請求項２】
前記第２特定情報送信部は、前記第２通信範囲内の第２中継アンテナを前記第２アンテナ検索部が発見した場合、さらに、前記第１特定情報を宛先情報とし、前記第２特定情報を経由情報として、前記宛先情報及び前記経由情報を前記第２中継アンテナへ送信し、
前記第２中継アンテナは、
前記第２特定情報送信部から送信された前記宛先情報である前記第１特定情報から特定される第１携帯端末を宛先として送信された通信データを、前記経由情報である前記第２特定情報から特定される第２携帯端末へ送信する第２アンテナ送信部
を備え、
前記第２データ送信部は、前記第２アンテナ送信部が送信した通信データを、前記第１携帯端末へ転送する
ことを特徴とする請求項１に記載の通信システム。
【請求項３】
前記第２携帯端末は、さらに、
前記第２通信範囲内の第２中継アンテナを前記第２アンテナ検索部が発見できなかった場合、前記第２特定情報を前記第２通信範囲内へ発信する第２特定情報発信部
を備え、
前記第２特定情報発信部が発信した前記第２特定情報を受信した携帯端末である第３携帯端末は、
直接通信可能な範囲である第３通信範囲内の第３中継アンテナを検索する第３アンテナ検索部と、
前記第３通信範囲内の第３中継アンテナを前記第３アンテナ検索部が発見した場合、前記第２特定情報から特定される前記第２携帯端末へ、自己を特定する第３特定情報を送信する第３特定情報送信部と
を備え、
前記第２特定情報送信部は、前記第３特定情報送信部が送信した第３特定情報を受信すると、前記第１特定情報から特定される第１携帯端末へ、前記第２特定情報を送信し、
前記第１データ送信部は、前記第２特定情報を受信すると、受信した前記第２特定情報から特定される第２携帯端末へ通信の相手先端末を宛先とした通信データを送信し、
前記第２データ送信部は、前記第１データ送信部が送信した前記通信データを、前記第３特定情報から特定される第３携帯端末へ転送し、
前記第３携帯端末は、さらに、
前記第２データ送信部が転送した前記通信データを、前記第３中継アンテナを介して前記相手先端末へ送信する第３データ送信部
を備えることを特徴とする請求項２に記載の通信システム。
【請求項４】
前記第３特定情報送信部は、前記第３通信範囲内の第３中継アンテナを前記第３アンテナ検索部が発見した場合、さらに、前記第１特定情報を宛先情報とし、前記第３特定情報を経由情報として、前記宛先情報及び前記経由情報を前記第３中継アンテナへ送信し、
前記第３中継アンテナは、
前記第３特定情報送信部から送信された前記宛先情報である前記第１特定情報から特定される第１携帯端末を宛先として送信された通信データを、前記経由情報である前記第３特定情報から特定される第３携帯端末へ送信する第３アンテナ送信部
を備え、
前記第３データ送信部は、前記第３アンテナ送信部が送信した通信データを、前記第２携帯端末へ転送し、
前記第２データ送信部は、前記第３データ送信部が送信した通信データを、前記第１携帯端末へ転送する
ことを特徴とする請求項３に記載の通信システム。
【請求項５】
前記第１携帯端末は、さらに、
複数の携帯端末から第２特定情報を受信した場合、第２特定情報を送信した携帯端末の電池残量と、その携帯端末が受信する電波の電波強度と、その携帯端末までの距離との少なくともいずれかに基づき、どの携帯端末へ通信データを送信するかを決定するネットワーク構築部
を備えることを特徴とする請求項１から４までのいずれかに記載の通信システム。
【請求項６】
複数の携帯端末用の携帯端末プログラムを備える通信プログラムであり、
前記複数の携帯端末のうちの第１携帯端末の携帯端末プログラムは、
直接通信可能な範囲である第１通信範囲内の第１中継アンテナを検索する第１アンテナ検索処理と、
前記第１通信範囲内の第１中継アンテナを前記第１アンテナ検索処理で発見できなかった場合、第１携帯端末を特定する第１特定情報を前記第１通信範囲内へ発信する第１特定情報発信処理と
をコンピュータに実行させ、
前記第１特定情報発信処理で発信した第１特定情報を受信した携帯端末である第２携帯端末の携帯端末プログラムは、
直接通信可能な範囲である第２通信範囲内の第２中継アンテナを検索する第２アンテナ検索処理と、
前記第２通信範囲内の第２中継アンテナを前記第２アンテナ検索処理で発見した場合、前記第１特定情報から特定される第１携帯端末へ、第２携帯端末を特定する第２特定情報を送信する第２特定情報送信処理と
をコンピュータに実行させ、
前記第１携帯端末の携帯端末プログラムは、さらに、
前記第２特定情報送信処理で送信した第２特定情報を受信すると、受信した前記第２特定情報から特定される前記第２携帯端末へ通信の相手先端末を宛先とした通信データを送信する第１データ送信処理
をコンピュータに実行させ、
前記第２携帯端末の携帯端末プログラムは、さらに、
前記第１データ送信処理で送信した通信データを、前記第２中継アンテナを介して前記相手先端末へ送信する第２データ送信処理
をコンピュータに実行させることを特徴とする通信プログラム。
【請求項７】
前記第２特定情報送信処理では、前記第２通信範囲内の第２中継アンテナを前記第２アンテナ検索処理で発見した場合、さらに、前記第１特定情報を宛先情報とし、前記第２特定情報を経由情報として、前記宛先情報及び前記経由情報を前記第２中継アンテナへ送信し、
前記通信プログラムは、さらに、複数の中継アンテナ用の中継アンテナプログラムを備え、
前記第２中継アンテナの中継アンテナプログラムは、
前記第２特定情報送信処理で送信された前記宛先情報である前記第１特定情報から特定される第１携帯端末を宛先として送信された通信データを、前記経由情報である前記第２特定情報から特定される第２携帯端末へ送信する第２アンテナ送信処理
をコンピュータに実行させ、
前記第２データ送信処理では、前記第２アンテナ送信処理で送信した通信データを、前記第１携帯端末へ転送する
ことを特徴とする請求項６に記載の通信プログラム。
【請求項８】
前記第２携帯端末の携帯端末プログラムは、さらに、
前記第２通信範囲内の第２中継アンテナを前記第２アンテナ検索処理で発見できなかった場合、前記第２特定情報を前記第２通信範囲内へ発信する第２特定情報発信処理
をコンピュータに実行させ、
前記第２特定情報発信処理で発信した前記第２特定情報を受信した携帯端末である第３携帯端末の携帯端末プログラムは、
直接通信可能な範囲である第３通信範囲内の第３中継アンテナを検索する第３アンテナ検索処理と、
前記第３通信範囲内の第３中継アンテナを前記第３アンテナ検索処理で発見した場合、前記第２特定情報から特定される前記第２携帯端末へ、第３携帯端末を特定する第３特定情報を送信する第３特定情報送信処理と
をコンピュータに実行させ、
前記第２特定情報送信処理では、前記第３特定情報送信処理で送信した第３特定情報を受信すると、前記第１特定情報から特定される第１携帯端末へ、前記第２特定情報を送信し、
前記第１データ送信処理では、前記第２特定情報を受信すると、受信した前記第２特定情報から特定される第２携帯端末へ通信の相手先端末を宛先とした通信データを送信し、
前記第２データ送信処理では、前記第１データ送信処理で送信した前記通信データを、前記第３特定情報から特定される第３携帯端末へ転送し、
前記第３携帯端末の携帯端末プログラムは、さらに、
前記第２データ送信処理で転送した前記通信データを、前記第３中継アンテナを介して前記相手先端末へ送信する第３データ送信処理
をコンピュータに実行させることを特徴とする請求項７に記載の通信プログラム。
【請求項９】
前記第３特定情報送信処理では、前記第３通信範囲内の第３中継アンテナを前記第３アンテナ検索処理で発見した場合、さらに、前記第１特定情報を宛先情報とし、前記第３特定情報を経由情報として、前記宛先情報及び前記経由情報を前記第３中継アンテナへ送信し、
前記第３中継アンテナの中継アンテナプログラムは、
前記第３特定情報送信処理で送信された前記宛先情報である前記第１特定情報から特定される第１携帯端末を宛先として送信された通信データを、前記経由情報である前記第３特定情報から特定される第３携帯端末へ送信する第３アンテナ送信処理
をコンピュータに実行させ、
前記第３データ送信処理では、前記第３アンテナ送信処理で送信した通信データを、前記第２携帯端末へ転送し、
前記第２データ送信処理では、前記第３データ送信処理で送信した通信データを、前記第１携帯端末へ転送する
ことを特徴とする請求項８に記載の通信プログラム。
【請求項１０】
前記第１携帯端末は、さらに、
複数の携帯端末から第２特定情報を受信した場合、第２特定情報を送信した携帯端末の電池残量と、その携帯端末が受信する電波の電波強度と、その携帯端末までの距離との少なくともいずれかに基づき、どの携帯端末へ通信データを送信するかを決定する端末決定処理
をコンピュータに実行させることを特徴とする請求項６から９までのいずれかに記載の通信プログラム。
【請求項１１】
複数の中継アンテナと、複数の携帯端末とにおける通信方法であり、
前記複数の携帯端末のうちの第１携帯端末が、直接通信可能な範囲である第１通信範囲内の第１中継アンテナを検索する第１アンテナ検索工程と、
前記第１携帯端末が、前記第１通信範囲内の第１中継アンテナを前記第１アンテナ検索工程で発見できなかった場合、自己を特定する第１特定情報を前記第１通信範囲内へ発信する第１特定情報発信工程と、
前記第１特定情報発信工程で発信した第１特定情報を受信した携帯端末である第２携帯端末が、直接通信可能な範囲である第２通信範囲内の第２中継アンテナを検索する第２アンテナ検索工程と、
前記第２携帯端末が、前記第２通信範囲内の第２中継アンテナを前記第２アンテナ検索工程で発見した場合、前記第１特定情報から特定される第１携帯端末へ、自己を特定する第２特定情報を送信する第２特定情報送信工程と、
前記第１携帯端末が、前記第２特定情報送信工程で送信した第２特定情報を受信すると、受信した前記第２特定情報から特定される前記第２携帯端末へ通信の相手先端末を宛先とした通信データを送信する第１データ送信工程と、
前記第２携帯端末が、前記第１データ送信工程で送信した通信データを、前記第２中継アンテナを介して前記相手先端末へ送信する第２データ送信工程と
を備えることを特徴とする通信方法。
【発明の詳細な説明】
【技術分野】
【０００１】
この発明は、ネットワークの輻輳回避技術に関する。
【背景技術】
【０００２】
地震等の災害が発生した場合、災害の発生場所へ大量の呼が集中し、通信の許容量を超え通信に支障が発生してしまう、いわゆるネットワークの輻輳状態が発生する。これに対して、災害用伝言ダイヤルや災害用伝言板サービス等を設け、呼の集中を回避している。
ネットワークの輻輳状態は、災害の発生地以外にも、花火大会のようなイベント等、人が多く集まる場所においても発生している。
【先行技術文献】
【特許文献】
【０００３】
【特許文献１】特開２００８−２８８９９１号公報
【発明の概要】
【発明が解決しようとする課題】
【０００４】
しかし、災害用伝言ダイヤルや災害用伝言板サービス等を設けても、依然としてネットワークの輻輳状態は発生してしまい、必要な通信ができない状態となっている。
この発明は、ネットワークの輻輳状態が発生した場合においても、その輻輳状態を回避し、通信可能とすることを目的とする。
【課題を解決するための手段】
【０００５】
この発明に係る通信システムは、
複数の中継アンテナと、複数の携帯端末とを備える通信システムであり、
前記複数の携帯端末のうちの第１携帯端末は、
直接通信可能な範囲である第１通信範囲内の第１中継アンテナを検索する第１アンテナ検索部と、
前記第１通信範囲内の第１中継アンテナを前記第１アンテナ検索部が発見できなかった場合、自己を特定する第１特定情報を前記第１通信範囲内へ発信する第１特定情報発信部と
を備え、
前記第１特定情報発信部が発信した第１特定情報を受信した携帯端末である第２携帯端末は、
直接通信可能な範囲である第２通信範囲内の第２中継アンテナを検索する第２アンテナ検索部と、
前記第２通信範囲内の第２中継アンテナを前記第２アンテナ検索部が発見した場合、前記第１特定情報から特定される第１携帯端末へ、自己を特定する第２特定情報を送信する第２特定情報送信部と
を備え、
前記第１携帯端末は、さらに、
前記第２特定情報送信部が送信した第２特定情報を受信すると、受信した前記第２特定情報から特定される前記第２携帯端末へ通信の相手先端末を宛先とした通信データを送信する第１データ送信部
を備え、
前記第２携帯端末は、さらに、
前記第１データ送信部が送信した通信データを、前記第２中継アンテナを介して前記相手先端末へ送信する第２データ送信部
を備えることを特徴とする。
【０００６】
前記第２特定情報送信部は、前記第２通信範囲内の第２中継アンテナを前記第２アンテナ検索部が発見した場合、さらに、前記第１特定情報を宛先情報とし、前記第２特定情報を経由情報として、前記宛先情報及び前記経由情報を前記第２中継アンテナへ送信し、
前記第２中継アンテナは、
前記第２特定情報送信部から送信された前記宛先情報である前記第１特定情報から特定される第１携帯端末を宛先として送信された通信データを、前記経由情報である前記第２特定情報から特定される第２携帯端末へ送信する第２アンテナ送信部
を備え、
前記第２データ送信部は、前記第２アンテナ送信部が送信した通信データを、前記第１携帯端末へ転送する
ことを特徴とする。
【０００７】
前記第２携帯端末は、さらに、
前記第２通信範囲内の第２中継アンテナを前記第２アンテナ検索部が発見できなかった場合、前記第２特定情報を前記第２通信範囲内へ発信する第２特定情報発信部
を備え、
前記第２特定情報発信部が発信した前記第２特定情報を受信した携帯端末である第３携帯端末は、
直接通信可能な範囲である第３通信範囲内の第３中継アンテナを検索する第３アンテナ検索部と、
前記第３通信範囲内の第３中継アンテナを前記第３アンテナ検索部が発見した場合、前記第２特定情報から特定される前記第２携帯端末へ、自己を特定する第３特定情報を送信する第３特定情報送信部と
を備え、
前記第２特定情報送信部は、前記第３特定情報送信部が送信した第３特定情報を受信すると、前記第１特定情報から特定される第１携帯端末へ、前記第２特定情報を送信し、
前記第１データ送信部は、前記第２特定情報を受信すると、受信した前記第２特定情報から特定される第２携帯端末へ通信の相手先端末を宛先とした通信データを送信し、
前記第２データ送信部は、前記第１データ送信部が送信した前記通信データを、前記第３特定情報から特定される第３携帯端末へ転送し、
前記第３携帯端末は、さらに、
前記第２データ送信部が転送した前記通信データを、前記第３中継アンテナを介して前記相手先端末へ送信する第３データ送信部
を備えることを特徴とする。
【０００８】
前記第３特定情報送信部は、前記第３通信範囲内の第３中継アンテナを前記第３アンテナ検索部が発見した場合、さらに、前記第１特定情報を宛先情報とし、前記第３特定情報を経由情報として、前記宛先情報及び前記経由情報を前記第３中継アンテナへ送信し、
前記第３中継アンテナは、
前記第３特定情報送信部から送信された前記宛先情報である前記第１特定情報から特定される第１携帯端末を宛先として送信された通信データを、前記経由情報である前記第３特定情報から特定される第３携帯端末へ送信する第３アンテナ送信部
を備え、
前記第３データ送信部は、前記第３アンテナ送信部が送信した通信データを、前記第２携帯端末へ転送し、
前記第２データ送信部は、前記第３データ送信部が送信した通信データを、前記第１携帯端末へ転送する
ことを特徴とする。
【０００９】
前記第１携帯端末は、さらに、
複数の携帯端末から第２特定情報を受信した場合、第２特定情報を送信した携帯端末の電池残量と、その携帯端末が受信する電波の電波強度と、その携帯端末までの距離との少なくともいずれかに基づき、どの携帯端末へ通信データを送信するかを決定するネットワーク構築部
を備えることを特徴とする。
【００１０】
この発明に係る通信プログラムは、
複数の携帯端末用の携帯端末プログラムを備える通信プログラムであり、
前記複数の携帯端末のうちの第１携帯端末の携帯端末プログラムは、
直接通信可能な範囲である第１通信範囲内の第１中継アンテナを検索する第１アンテナ検索処理と、
前記第１通信範囲内の第１中継アンテナを前記第１アンテナ検索処理で発見できなかった場合、第１携帯端末を特定する第１特定情報を前記第１通信範囲内へ発信する第１特定情報発信処理と
をコンピュータに実行させ、
前記第１特定情報発信処理で発信した第１特定情報を受信した携帯端末である第２携帯端末の携帯端末プログラムは、
直接通信可能な範囲である第２通信範囲内の第２中継アンテナを検索する第２アンテナ検索処理と、
前記第２通信範囲内の第２中継アンテナを前記第２アンテナ検索処理で発見した場合、前記第１特定情報から特定される第１携帯端末へ、第２携帯端末を特定する第２特定情報を送信する第２特定情報送信処理と
をコンピュータに実行させ、
前記第１携帯端末の携帯端末プログラムは、さらに、
前記第２特定情報送信処理で送信した第２特定情報を受信すると、受信した前記第２特定情報から特定される前記第２携帯端末へ通信の相手先端末を宛先とした通信データを送信する第１データ送信処理
をコンピュータに実行させ、
前記第２携帯端末の携帯端末プログラムは、さらに、
前記第１データ送信処理で送信した通信データを、前記第２中継アンテナを介して前記相手先端末へ送信する第２データ送信処理
をコンピュータに実行させることを特徴とする。
【００１１】
前記第２特定情報送信処理では、前記第２通信範囲内の第２中継アンテナを前記第２アンテナ検索処理で発見した場合、さらに、前記第１特定情報を宛先情報とし、前記第２特定情報を経由情報として、前記宛先情報及び前記経由情報を前記第２中継アンテナへ送信し、
前記通信プログラムは、さらに、複数の中継アンテナ用の中継アンテナプログラムを備え、
前記第２中継アンテナの中継アンテナプログラムは、
前記第２特定情報送信処理で送信された前記宛先情報である前記第１特定情報から特定される第１携帯端末を宛先として送信された通信データを、前記経由情報である前記第２特定情報から特定される第２携帯端末へ送信する第２アンテナ送信処理
をコンピュータに実行させ、
前記第２データ送信処理では、前記第２アンテナ送信処理で送信した通信データを、前記第１携帯端末へ転送する
ことを特徴とする。
【００１２】
前記第２携帯端末の携帯端末プログラムは、さらに、
前記第２通信範囲内の第２中継アンテナを前記第２アンテナ検索処理で発見できなかった場合、前記第２特定情報を前記第２通信範囲内へ発信する第２特定情報発信処理
をコンピュータに実行させ、
前記第２特定情報発信処理で発信した前記第２特定情報を受信した携帯端末である第３携帯端末の携帯端末プログラムは、
直接通信可能な範囲である第３通信範囲内の第３中継アンテナを検索する第３アンテナ検索処理と、
前記第３通信範囲内の第３中継アンテナを前記第３アンテナ検索処理で発見した場合、前記第２特定情報から特定される前記第２携帯端末へ、第３携帯端末を特定する第３特定情報を送信する第３特定情報送信処理と
をコンピュータに実行させ、
前記第２特定情報送信処理では、前記第３特定情報送信処理で送信した第３特定情報を受信すると、前記第１特定情報から特定される第１携帯端末へ、前記第２特定情報を送信し、
前記第１データ送信処理では、前記第２特定情報を受信すると、受信した前記第２特定情報から特定される第２携帯端末へ通信の相手先端末を宛先とした通信データを送信し、
前記第２データ送信処理では、前記第１データ送信処理で送信した前記通信データを、前記第３特定情報から特定される第３携帯端末へ転送し、
前記第３携帯端末の携帯端末プログラムは、さらに、
前記第２データ送信処理で転送した前記通信データを、前記第３中継アンテナを介して前記相手先端末へ送信する第３データ送信処理
をコンピュータに実行させることを特徴とする。
【００１３】
前記第３特定情報送信処理では、前記第３通信範囲内の第３中継アンテナを前記第３アンテナ検索処理で発見した場合、さらに、前記第１特定情報を宛先情報とし、前記第３特定情報を経由情報として、前記宛先情報及び前記経由情報を前記第３中継アンテナへ送信し、
前記第３中継アンテナの中継アンテナプログラムは、
前記第３特定情報送信処理で送信された前記宛先情報である前記第１特定情報から特定される第１携帯端末を宛先として送信された通信データを、前記経由情報である前記第３特定情報から特定される第３携帯端末へ送信する第３アンテナ送信処理
をコンピュータに実行させ、
前記第３データ送信処理では、前記第３アンテナ送信処理で送信した通信データを、前記第２携帯端末へ転送し、
前記第２データ送信処理では、前記第３データ送信処理で送信した通信データを、前記第１携帯端末へ転送する
ことを特徴とする。
【００１４】
前記第１携帯端末は、さらに、
複数の携帯端末から第２特定情報を受信した場合、第２特定情報を送信した携帯端末の電池残量と、その携帯端末が受信する電波の電波強度と、その携帯端末までの距離との少なくともいずれかに基づき、どの携帯端末へ通信データを送信するかを決定する端末決定処理
をコンピュータに実行させることを特徴とする。
【００１５】
この発明に係る通信方法は、
複数の中継アンテナと、複数の携帯端末とにおける通信方法であり、
前記複数の携帯端末のうちの第１携帯端末が、直接通信可能な範囲である第１通信範囲内の第１中継アンテナを検索する第１アンテナ検索工程と、
前記第１携帯端末が、前記第１通信範囲内の第１中継アンテナを前記第１アンテナ検索工程で発見できなかった場合、自己を特定する第１特定情報を前記第１通信範囲内へ発信する第１特定情報発信工程と、
前記第１特定情報発信工程で発信した第１特定情報を受信した携帯端末である第２携帯端末が、直接通信可能な範囲である第２通信範囲内の第２中継アンテナを検索する第２アンテナ検索工程と、
前記第２携帯端末が、前記第２通信範囲内の第２中継アンテナを前記第２アンテナ検索工程で発見した場合、前記第１特定情報から特定される第１携帯端末へ、自己を特定する第２特定情報を送信する第２特定情報送信工程と、
前記第１携帯端末が、前記第２特定情報送信工程で送信した第２特定情報を受信すると、受信した前記第２特定情報から特定される前記第２携帯端末へ通信の相手先端末を宛先とした通信データを送信する第１データ送信工程と、
前記第２携帯端末が、前記第１データ送信工程で送信した通信データを、前記第２中継アンテナを介して前記相手先端末へ送信する第２データ送信工程と
を備えることを特徴とする。
【発明の効果】
【００１６】
この発明に係る通信システムでは、通信範囲内に通信可能な中継アンテナがない場合に、通信範囲内にある他の携帯端末を介して、通信範囲外の中継アンテナへ接続する。これにより、ネットワークの輻輳状態が発生し、通信範囲内にあるアンテナが使用できない場合であっても、通信可能となる。
【図面の簡単な説明】
【００１７】
【図１】携帯電話の通信の説明図。
【図２】実施の形態１に係る通信システムの構成例を示す図。
【図３】実施の形態１に係る通信システムにおける各携帯電話１の機能を示す機能ブロック図。
【図４】実施の形態１に係る通信システムにおける各中継アンテナ２の機能を示す機能ブロック図。
【図５】実施の形態１に係る通信システムの中継ネットワーク構築処理の動作例を示すフローチャート。
【図６】図５の（Ｓ５）で携帯電話１Ａ，Ｂ及び中継アンテナ２Ｂが中継ネットワークを構築する際に、携帯電話１Ａ，Ｂ及び中継アンテナ２Ｂそれぞれが記憶する情報を示す図。
【図７】中継ネットワークを介して通話する通話処理の流れを示すフローチャート。
【図８】実施の形態１に係る通信システムの中継ネットワーク構築処理の動作例を示すフローチャート。
【図９】図８の（Ｓ３８）で携帯電話１Ａ，Ｂ，Ｃ及び中継アンテナ２Ｃが中継ネットワークを構築する際に、携帯電話１Ａ，Ｂ，Ｃ及び中継アンテナ２Ｃそれぞれが記憶する情報を示す図。
【図１０】図８の（Ｓ３８）で携帯電話１Ａ，Ｂ，Ｃ及び中継アンテナ２Ｃが中継ネットワークを構築する際に、携帯電話１Ａ，Ｂ，Ｃ及び中継アンテナ２Ｃそれぞれが記憶する情報の図９とは異なる例を示す図。
【図１１】順位付けの例を示す図。
【図１２】携帯電話１、中継アンテナ２のハードウェア構成の一例を示す図。
【発明を実施するための形態】
【００１８】
実施の形態１．
図１は、携帯電話（携帯端末の一例）の通信の説明図である。
各携帯電話１は、定期的に自身の位置情報を中継アンテナ２を介して移動体交換局管理装置３へ送信する。そして、移動体交換局管理装置３は、送信された位置情報を携帯電話１毎にデータベース４に記憶しておく。
携帯電話１が他の携帯電話１と通信する場合、発信側の携帯電話１が通信範囲内にある中継アンテナ２を介して移動体交換局管理装置３へ、着信側の携帯電話１を指定した接続要求を送信する。すると、移動体交換局管理装置３は、着信側の携帯電話１の位置情報をデータベース４から取得して、取得した位置情報に応じた中継アンテナ２に対して、着信側の携帯電話１の呼出しをさせる。
【００１９】
ここで、例えば、発信側の携帯電話１の通信範囲内にある中継アンテナ２が輻輳状態となり、通信不能状態となると、発信側の携帯電話１は接続要求を送信できず、着信側の携帯電話１と通話することができない。
同様に、着信側の携帯電話１の通信範囲内にある中継アンテナ２が輻輳状態となり、通信不能状態となると、移動体交換局管理装置３が呼出しをさせることができず、発信側の携帯電話１は着信側の携帯電話１と通話することができない。
そこで、実施の形態１では、通信範囲内に通信可能な中継アンテナ２がない場合に、他の携帯電話１を介して通信可能な中継アンテナ２へアクセスすることにより、通信可能とする方法について説明する。
【００２０】
図２は、実施の形態１に係る通信システムの構成例を示す図である。
実施の形態１における通信システムは、複数の携帯電話１（ここでは、携帯電話１Ａ，Ｂ，Ｃ）と、複数の中継アンテナ２（ここでは、中継アンテナ２Ａ，Ｂ，Ｃ）とを備える。
ここでは、携帯電話１Ａは、通信範囲５Ａの範囲と直接通信可能であり、通信範囲５Ａ内には中継アンテナ２Ａがある。携帯電話１Ｂは、通信範囲５Ｂの範囲と直接通信可能であり、通信範囲５Ｂ内には中継アンテナ２Ｂがある。携帯電話１Ｃは、通信範囲５Ｃの範囲と直接通信可能であり、通信範囲５Ｃ内には中継アンテナ２Ｃがある。
また、携帯電話１Ａの通信範囲５Ａには携帯電話１Ｂがあり、携帯電話１Ｂの通信範囲５Ｂには携帯電話１Ａ及び携帯電話１Ｃがあり、携帯電話１Ｃの通信範囲５Ｃには携帯電話１Ｂがある。
【００２１】
図３は、実施の形態１に係る通信システムにおける各携帯電話１の機能を示す機能ブロック図である。
各携帯電話１は、アンテナ検索部１１、特定情報発信部１２、特定情報送信部１３、ネットワーク構築部１４、データ送信部１５を備える。各機能部については、通信システムの動作の説明と併せて説明する。
【００２２】
図４は、実施の形態１に係る通信システムにおける各中継アンテナ２の機能を示す機能ブロック図である。
各中継アンテナ２は、ネットワーク構築部２１、アンテナ送信部２２を備える。各機能部については、通信システムの動作の説明と併せて説明する。
【００２３】
図５は、実施の形態１に係る通信システムの中継ネットワーク構築処理の動作例を示すフローチャートである。
図５では、携帯電話１Ａの通信範囲５Ａにある中継アンテナ２Ａが輻輳状態となっており、他の中継アンテナ２Ｂ，Ｃが通信可能である場合の動作を示す。
【００２４】
まず、携帯電話１Ａが動作する。
携帯電話１Ａのアンテナ検索部１１は、通信範囲５Ａ内にある通信可能な中継アンテナ２を検索する（Ｓ１：第１アンテナ検索処理）。上述したように、各携帯電話１は、定期的に自身の位置情報を中継アンテナ２を介して移動体交換局管理装置３へ送信する。この際、通信範囲５内にある中継アンテナ２を検索する必要があるが、この動作が（Ｓ１）の動作に相当する。ここでは、通信範囲５Ａ内には中継アンテナ２Ａが存在するが、上述した通り中継アンテナ２Ａは輻輳状態であり、通信不能であるため、アンテナ検索部１１は通信可能な中継アンテナ２を発見できない。
（Ｓ１）で通信可能な中継アンテナ２を発見できなかった場合、携帯電話１Ａの特定情報発信部１２は、携帯電話１Ａを特定する特定情報Ａを通信範囲５Ａ内の全方位へ向けて発信する（Ｓ２：第１特定情報発信処理）。ここでは、通信範囲５Ａ内にある携帯電話１Ｂが、携帯電話１Ａから発信された特定情報Ａを受信する。なお、特定情報には、携帯電話１のシリアルナンバーや電話番号等の識別情報と、携帯電話１の位置を示す位置情報とが含まれる。
【００２５】
すると、特定情報Ａを受信した携帯電話１Ｂが動作する。
携帯電話１Ｂのアンテナ検索部１１は、通信範囲５Ｂ内にある通信可能な中継アンテナ２を検索する（Ｓ３：第２アンテナ検索処理）。ここでは、アンテナ検索部１１は、通信可能な中継アンテナ２として中継アンテナ２Ｂを発見する。
（Ｓ３）で通信可能な中継アンテナ２を発見した場合、携帯電話１Ｂの特定情報送信部１３は、特定情報Ａから特定される携帯電話１Ａへ、携帯電話１Ｂを特定する特定情報Ｂを送信する。また、携帯電話１Ｂの特定情報送信部１３は、特定情報Ａ，Ｂを中継アンテナ２Ｂへ送信する（Ｓ４：第２特定情報送信処理）。なお、この際、特定情報送信部１３は、特定情報Ａを宛先情報とし、特定情報Ｂを経由情報として、中継アンテナ２Ｂへ送信する。
【００２６】
すると、携帯電話１Ａ，Ｂ及び中継アンテナ２Ｂが動作する。
携帯電話１Ａ，Ｂ及び中継アンテナ２Ｂは、特定情報Ａ，Ｂに基づき、携帯電話１Ａ、携帯電話１Ｂ、中継アンテナ２Ｂの順に接続された中継ネットワークを構築する（Ｓ５：中継ネットワーク構築処理）。
【００２７】
図６は、図５の（Ｓ５）で携帯電話１Ａ，Ｂ及び中継アンテナ２Ｂが中継ネットワークを構築する際に、携帯電話１Ａ，Ｂ及び中継アンテナ２Ｂそれぞれが記憶する情報を示す図である。なお、ここでは、携帯電話１から中継アンテナ２へ向かう流れを上り、中継アンテナ２から携帯電話１へ向かう流れを下りと呼ぶ。
携帯電話１Ａのネットワーク構築部１４は、上り情報として特定情報Ｂを記憶する。携帯電話１Ｂのネットワーク構築部１４は、上り情報としてアンテナ情報Ｂを記憶し、下り情報として特定情報Ａを記憶する。中継アンテナ２Ｂのネットワーク構築部２１は、下り情報として、特定情報Ａを宛先情報とし、特定情報Ｂを経由情報として記憶する。
また、中継アンテナ２Ｂのネットワーク構築部２１から移動体交換局管理装置３へ、宛先情報として特定情報Ａと、経由情報としてアンテナ情報Ｂとを送信し、データベース４に記憶させる。
【００２８】
図７は、中継ネットワークを介して通話する通話処理の流れを示すフローチャートである。
図７では、図５に基づき説明した処理で構築された中継ネットワークを介して、携帯電話１Ａが、他の携帯電話１（携帯電話１Ａ，Ｂ以外の携帯電話１、以下「相手先端末」と呼ぶ）と通話する場合の通話処理を示す。ここでは、携帯電話１Ａが発信側であり、相手先端末が着信側であるとする。
【００２９】
まず、携帯電話１Ａが動作する。携帯電話１Ａのデータ送信部１５は、相手先端末を指定した接続要求を、ネットワーク構築部１４が上り情報として記憶した特定情報Ｂから特定される携帯電話１Ｂへ送信する（Ｓ１１：第１接続要求送信処理）。
すると、携帯電話１Ｂが動作する。携帯電話１Ｂのデータ送信部１５は、（Ｓ１１）で送信された接続要求を、ネットワーク構築部１４が上り情報として記憶したアンテナ情報Ｂから特定される中継アンテナ２Ｂへ転送する（Ｓ１２：第２接続要求送信処理）。
すると、中継アンテナ２Ｂが動作する。中継アンテナ２Ｂのアンテナ送信部２２は、（Ｓ１２）で送信された接続要求を、移動体交換局管理装置３へ転送する（Ｓ１３：アンテナ接続要求送信処理）。移動体交換局管理装置３では、通常接続要求が送信された場合と同様に、相手先端末の位置に応じた中継アンテナ２を特定して、その中継アンテナ２に相手先端末の呼出しをさせる。相手先端末が呼出しに応じた場合には、携帯電話１Ａを宛先とした接続許可情報が移動体交換局管理装置３から中継アンテナ２Ｂへ送信される。
【００３０】
移動体交換局管理装置３から送信された接続許可情報は、中継アンテナ２Ｂが宛先情報として記憶した特定情報Ａから特定される携帯電話１Ａが宛先として指定されている。そのため、中継アンテナ２Ｂのアンテナ送信部２２は、移動体交換局管理装置３から送信された接続許可情報を、ネットワーク構築部２１が下り情報の経由情報として記憶した特定情報Ｂから特定される携帯電話１Ｂへ送信する（Ｓ１４：アンテナ接続許可送信処理）。
すると、携帯電話１Ｂが動作する。携帯電話１Ｂのデータ送信部１５は、（Ｓ１４）で送信された接続許可情報を、ネットワーク構築部１４が下り情報として記憶した特定情報Ａから特定される携帯電話１Ａへ転送する（Ｓ１５：第１接続許可送信処理）。
【００３１】
すると、携帯電話１Ａが動作する。携帯電話１Ａのデータ送信部１５は、接続許可情報を受信すると、相手先端末を宛先とした通信データ（通話データ）を、特定情報Ｂから特定される携帯電話１Ｂへ送信する（Ｓ１６：第１データ送信処理）。
すると、携帯電話１Ｂが動作する。携帯電話１Ｂのデータ送信部１５は、（Ｓ１６）で送信された通信データを、アンテナ情報Ｂから特定される中継アンテナ２Ｂへ転送する（Ｓ１７：第２データ送信処理）。
すると、中継アンテナ２Ｂが動作する。中継アンテナ２Ｂのアンテナ送信部２２は、（Ｓ１７）で送信された通信データを、移動体交換局管理装置３、あるいは相手先端末側の中継アンテナ２へ転送する（Ｓ１８：アンテナ送信処理）。
すると、通信データが相手先端末へ送信される。
【００３２】
また、相手先端末から携帯電話１Ａを宛先として通信データが送信される場合もある。
この場合、中継アンテナ２Ｂのアンテナ送信部２２は、相手先端末から送信された通信データを、ネットワーク構築部２１が下り情報の経由情報として記憶した特定情報Ｂから特定される携帯電話１Ｂへ送信する（Ｓ１９：アンテナ送信処理）。
すると、携帯電話１Ｂが動作する。携帯電話１Ｂのデータ送信部１５は、（Ｓ１９）で送信された通信データを、ネットワーク構築部１４が下り情報として記憶した特定情報Ａから特定される携帯電話１Ａへ転送する（Ｓ２０：第３データ送信処理）。
すると、携帯電話１Ａが動作する。携帯電話１Ａのデータ送信部１５は、（Ｓ２０）で送信された通信データを受信する（Ｓ２１：データ受信処理）。
【００３３】
ここでは、携帯電話１Ａが発信側であり、相手先端末が着信側である場合を説明した。相手先端末が発信側であり、携帯電話１Ａが着信側である場合も考えられる。
この場合、相手先端末から移動体交換局管理装置３へ携帯電話１Ａを指定した接続要求が送信される。すると、移動体交換局管理装置３では、指定された携帯電話１Ａの特定情報が、（Ｓ５）でデータベース４に宛先情報として記憶されているため、その宛先情報に対応する経由情報から中継アンテナ２Ｂが特定される。そして、中継アンテナ２Ｂに携帯電話１Ａの呼出しをさせる。中継アンテナ２Ｂは、携帯電話１Ｂを介して携帯電話１Ａを呼出す。携帯電話１Ａが呼出しに応じた場合には、相手先端末を宛先とした接続許可情報が移動体交換局管理装置３から相手先端末の中継アンテナ２へ送信される。
その後は、携帯電話１Ａが発信側であり、相手先端末が着信側である場合と同様に、図６に示す上り情報に従い、携帯電話１Ａから送信された通話データは、携帯電話１Ｂ、中継アンテナ２Ｂの順に経由して相手先端末へ送信される。そして、図６に示す下り情報に従い、相手先端末から送信された通話データは、中継アンテナ２Ｂ、携帯電話１Ｂの順に経由して携帯電話１Ａへ送信される。
【００３４】
次に、携帯電話１Ａの通信範囲５Ａにある中継アンテナ２Ａと、携帯電話１Ｂの通信範囲５Ｂにある中継アンテナ２Ｂとが輻輳状態となっており、中継アンテナ２Ｃが通信可能である場合について説明する。
図８は、この場合における中継ネットワーク構築処理の動作例を示すフローチャートである。
【００３５】
（Ｓ３１）から（Ｓ３３）までの処理は、図５に示す（Ｓ１）から（Ｓ３）までの処理と同じである。但し、（Ｓ３３）では、中継アンテナ２Ｂは輻輳状態であり、通信不能であるため、携帯電話１Ｂのアンテナ検索部１１は通信可能な中継アンテナ２を発見できない。
（Ｓ３３）で通信可能な中継アンテナ２を発見できなかった場合、携帯電話１Ｂの特定情報送信部１３は、特定情報Ａ，Ｂを通信範囲５Ｂ内の全方位へ向けて発信する（Ｓ３４：第２特定情報発信処理）。なお、この際、特定情報送信部１３は、特定情報Ａを宛先情報とし、特定情報Ｂを経由情報として、発信する。ここでは、通信範囲５Ｂ内にある携帯電話１Ｃが、携帯電話１Ｂから発信された特定情報Ａ，Ｂを受信する。
【００３６】
すると、特定情報Ａ，Ｂを受信した携帯電話１Ｃが動作する。
携帯電話１Ｃのアンテナ検索部１１は、通信範囲５Ｃ内にある通信可能な中継アンテナ２を検索する（Ｓ３５：第３アンテナ検索処理）。ここでは、アンテナ検索部１１は、通信可能な中継アンテナ２として中継アンテナ２Ｃを発見する。
（Ｓ３５）で通信可能な中継アンテナ２を発見した場合、携帯電話１Ｃの特定情報送信部１３は、特定情報Ｂから特定される携帯電話１Ｂへ、携帯電話１Ｃを特定する特定情報Ｃを送信する。また、携帯電話１Ｃの特定情報送信部１３は、特定情報Ａ，Ｂ，Ｃを中継アンテナ２Ｂへ送信する（Ｓ３６：第３特定情報送信処理）。なお、この際、特定情報送信部１３は、特定情報Ａ，Ｂを宛先情報とし、特定情報Ｃを経由情報として、中継アンテナ２Ｃへ送信する。
すると、特定情報Ｃを受信した携帯電話１Ｂが動作する。
携帯電話１Ｂの特定情報送信部１３は、特定情報Ａから特定される携帯電話１Ａへ、特定情報Ｂを携帯電話１Ａへ送信する（Ｓ３７：第４特定情報送信処理）。
【００３７】
そして、携帯電話１Ａ，Ｂ，Ｃ及び中継アンテナ２Ｃが動作する。
携帯電話１Ａ，Ｂ，Ｃ及び中継アンテナ２Ｃは、特定情報Ａ，Ｂ，Ｃに基づき、携帯電話１Ａ、携帯電話１Ｂ、携帯電話１Ｃ、中継アンテナ２Ｃの順に接続された中継ネットワークを構築する（Ｓ３８：中継ネットワーク構築処理）。
【００３８】
図９は、図８の（Ｓ３８）で携帯電話１Ａ，Ｂ，Ｃ及び中継アンテナ２Ｃが中継ネットワークを構築する際に、携帯電話１Ａ，Ｂ，Ｃ及び中継アンテナ２Ｃそれぞれが記憶する情報を示す図である。
携帯電話１Ａのネットワーク構築部１４は、上り情報として特定情報Ｂを記憶する。携帯電話１Ｂのネットワーク構築部１４は、上り情報として特定情報Ｃを記憶し、下り情報として特定情報Ａを記憶する。携帯電話１Ｃは、上り情報としてアンテナ情報Ｃを記憶し、下り情報として特定情報Ａを宛先情報とし、特定情報Ｂを経由情報として記憶する。中継アンテナ２Ｃのネットワーク構築部２１は、下り情報として、特定情報Ａ，Ｂを宛先情報とし、特定情報Ｃを経由情報として記憶する。
また、中継アンテナ２Ｂのネットワーク構築部２１から移動体交換局管理装置３へ、宛先情報として特定情報Ａ，Ｂと、経由情報としてアンテナ情報Ｂとを送信し、データベース４に記憶させる。
【００３９】
図８に基づき説明した処理で構築された中継ネットワークを介して、携帯電話１Ａと相手先端末とが通話する場合の通話処理も、原則として図７に基づき説明した通りである。
つまり、携帯電話１Ａが発信側となる場合には、携帯電話１Ａから送信された接続要求は、図９に示す上り情報に従い、携帯電話１Ｂ、携帯電話１Ｃ、中継アンテナ２Ｃの順に経由して移動体交換局管理装置３へ送信される。一方、携帯電話１Ａが着信側となる場合には、相手先端末から送信された接続要求は、図９に示す下り情報に従い、中継アンテナ２Ｃ、携帯電話１Ｃ、携帯電話１Ｂの順に経由して携帯電話１Ａへ送信される。
その後は、携帯電話１Ａから送信された通話データは、図９に示す上り情報に従い、携帯電話１Ｂ、携帯電話１Ｃ、中継アンテナ２Ｃの順に経由して相手先端末へ送信される。そして、相手先端末から送信された通話データは、図９に示す下り情報に従い、中継アンテナ２Ｃ、携帯電話１Ｃ、携帯電話１Ｂの順に経由して携帯電話１Ａへ送信される。
【００４０】
なお、携帯電話１Ｂが相手先端末と通話する場合にも、同様に、携帯電話１Ｂから送信された通話データは、図９に上り情報に従い、携帯電話１Ｃ、中継アンテナ２Ｃの順に経由して相手先端末へ送信される。そして、相手先端末から送信された通話データは、図９に下り情報に従い、中継アンテナ２Ｃ、携帯電話１Ｃの順に経由して携帯電話１Ｂへ送信される。
【００４１】
ここでは、２台又は３台の携帯電話１と中継アンテナ２とで中継ネットワークを構築する例を説明した。しかし、４台以上の携帯電話１と中継アンテナ２とであっても、同様の動作をすることにより、中継ネットワークを構築することができる。
【００４２】
以上のように、実施の形態１に係る通信システムでは、携帯電話１が中継アンテナ２と直接通信できない場合に、他の携帯電話１を経由して中継アンテナ２へ接続する中継ネットワークを構築する。これにより、携帯電話１の通信範囲内にある中継アンテナ２が輻輳状態となった場合でも、携帯電話１は相手先端末と通信することができる。
なお、輻輳状態となったことが原因で、携帯電話１が中継アンテナ２と直接通信できない場合だけでなく、携帯電話１の通信範囲内に中継アンテナ２がない場合、すなわち携帯電話１が通信エリア外（圏外）に在る場合にも、携帯電話１は相手先端末と通信することができる。
【００４３】
上記説明では、図９に示す情報を各携帯電話１や中継アンテナ２が記憶することで、中継ネットワークを構築した。しかし、図９に示す情報は、最低限の情報であり、さらに多くの情報を各携帯電話１や中継アンテナ２が記憶することで、各携帯電話１や中継アンテナ２が構築された中継ネットワークの全容を把握できるようにしてもよい。
図１０は、図８の（Ｓ３８）で携帯電話１Ａ，Ｂ，Ｃ及び中継アンテナ２Ｃが中継ネットワークを構築する際に、携帯電話１Ａ，Ｂ，Ｃ及び中継アンテナ２Ｃそれぞれが記憶する情報の図９とは異なる例を示す図である。
ここでは、携帯電話１Ａ，Ｂ，Ｃ及び中継アンテナ２Ｃは、中継ネットワークを構成する全ての携帯電話１及び中継アンテナ２の特定情報を記憶する。また、携帯電話１Ａ，Ｂ，Ｃ及び中継アンテナ２Ｃは、どの順に携帯電話１を経由して通信データ等を送信するかを示す通信順序情報を記憶する。
これにより、携帯電話１Ａ，Ｂ，Ｃ及び中継アンテナ２Ｃでは、中継ネットワークの規模や、中継ネットワーク全体の通信順序を把握することができる。
【００４４】
また、上記説明では、特定情報を通信範囲内の全方位へ向けて発信した場合、発信した特定情報を受信するのは１つの携帯電話１だけであった。しかし、実際には、複数の携帯電話１が特定情報を受信する可能性がある。
この場合、例えば、特定情報を受信した各携帯電話１の特定情報送信部１３は、特定情報から特定される携帯電話１へ、その携帯電話１の電池残量情報、受信電波の強度情報、位置情報を送信するとしてもよい。そして、特定情報を発信した携帯電話１のネットワーク構築部１４は、送信された電池残量情報、受信電波の強度情報、位置情報に基づき、特定情報を受信した各携帯電話１を順位付けして、順位に従いどの携帯電話１と中継ネットワークを構築するか決定してもよい。
図１１は、順位付けの例を示す図である。図１１では、電池残量が多く、受信電波の強度が強い、位置が近く携帯電話１の順位を高くしている。そして、特定情報を発信した携帯電話１Ａは、順位の高い携帯電話１Ｂを中継ネットワークを構築する携帯電話１として選択する。
例えば、電池残量、受信電波の強度、位置にそれぞれ得点を付け、電池残量、受信電波の強度、位置に付けられた得点の積に応じて順位付けしてもよい。なお、電池残量は残量が多いほど高い得点とし、受信電波の強度は強度が強いほど高い得点とし、位置は近いほど高い得点として、得点の積の値が大きいほど順位を高くすればよい。
【００４５】
また、構築された中継ネットワークは、中継ネットワークを介した通信が所定時間以上行われない場合には、解除されるとしてもよい。この場合、中継ネットワークを構築している各携帯電話１のネットワーク構築部１４は記憶した情報を消去し、中継アンテナ２のネットワーク構築部２１は記憶した情報を消去するとともに、移動体交換局管理装置３に記憶させた情報を消去させる。
なお、中継ネットワークを介した通信が所定時間以上行われない場合ではなく、直接通信可能な中継アンテナ２がなかった携帯電話１に、直接通信可能な中継アンテナ２ができた場合にも、構築された中継ネットワークを解除してもよい。この場合、中継ネットワークが不要になる場合や、中継ネットワークを再構築することで経由数の少ない効率的な中継ネットワークを構築できる可能性がある。
【００４６】
次に、実施の形態における携帯電話１、中継アンテナ２のハードウェア構成について説明する。
図１２は、携帯電話１、中継アンテナ２のハードウェア構成の一例を示す図である。
図１２に示すように、携帯電話１、中継アンテナ２は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、ＬＣＤ９０１（Ｌｉｑｕｉｄ  Ｃｒｙｓｔａｌ  Ｄｉｓｐｌａｙ）、キーボード９０２（Ｋ／Ｂ）、通信ボード９１５、磁気ディスク装置９２０と接続され、これらのハードウェアデバイスを制御する。磁気ディスク装置９２０（固定ディスク装置）の代わりに、光ディスク装置、メモリカード読み書き装置などの記憶装置でもよい。磁気ディスク装置９２０は、所定の固定ディスクインタフェースを介して接続される。
【００４７】
磁気ディスク装置９２０又はＲＯＭ９１３などには、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００４８】
プログラム群９２３には、上記の説明において「アンテナ検索部１１」、「特定情報発信部１２」、「特定情報送信部１３」、「ネットワーク構築部１４」、「データ送信部１５」、「ネットワーク構築部２１」、「アンテナ送信部２２」等として説明した機能を実行するソフトウェアやプログラムやその他のプログラムが記憶されている。プログラムは、ＣＰＵ９１１により読み出され実行される。
ファイル群９２４には、上記の説明において「ネットワーク構築部１４」が記憶する情報やデータや信号値や変数値やパラメータが、「データベース」の各項目として記憶される。「データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵ９１１の動作に用いられる。抽出・検索・参照・比較・演算・計算・処理・出力・印刷・表示のＣＰＵ９１１の動作の間、情報やデータや信号値や変数値やパラメータは、メインメモリやキャッシュメモリやバッファメモリに一時的に記憶される。
【００４９】
また、上記の説明におけるフローチャートの矢印の部分は主としてデータや信号の入出力を示し、データや信号値は、ＲＡＭ９１４のメモリ、その他光ディスク等の記録媒体やＩＣチップに記録される。また、データや信号は、バス９１２や信号線やケーブルその他の伝送媒体や電波によりオンライン伝送される。
また、上記の説明において「〜部」として説明するものは、「〜回路」、「〜装置」、「〜機器」、「〜手段」、「〜機能」であってもよく、また、「〜ステップ」、「〜手順」、「〜処理」であってもよい。また、「〜装置」として説明するものは、「〜回路」、「〜機器」、「〜手段」、「〜機能」であってもよく、また、「〜ステップ」、「〜手順」、「〜処理」であってもよい。さらに、「〜処理」として説明するものは「〜ステップ」であっても構わない。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、ＲＯＭ９１３等の記録媒体に記憶される。プログラムはＣＰＵ９１１により読み出され、ＣＰＵ９１１により実行される。すなわち、プログラムは、上記で述べた「〜部」としてコンピュータ等を機能させるものである。あるいは、上記で述べた「〜部」の手順や方法をコンピュータ等に実行させるものである。
【符号の説明】
【００５０】
１  携帯電話、２  中継アンテナ、３  移動体交換局管理装置、４  データベース、５  通信範囲、１１  アンテナ検索部、１２  特定情報発信部、１３  特定情報送信部、１４  ネットワーク構築部、１５  データ送信部、２１  ネットワーク構築部、２２  アンテナ送信部。
【図１】
2012074964.tif 000003
【図２】
2012074964.tif 000004
【図３】
2012074964.tif 000005
【図４】
2012074964.tif 000006
【図５】
2012074964.tif 000007
【図６】
2012074964.tif 000008
【図７】
2012074964.tif 000009
【図８】
2012074964.tif 000010
【図９】
2012074964.tif 000011
【図１０】
2012074964.tif 000012
【図１１】
2012074964.tif 000013
【図１２】
2012074964.tif 000014